(57)【要約】【課題】医療用スタンドの使用中、可撓性を有する長尺体をできる限り目立たなくしたり、この長尺体が周辺部に引っ掛かってしまうのを防止したりすることができる医療用スタンドを提供すること。【解決手段】医療用スタンド１は、脚部２と、脚部２から上方に向かって柱状に突出した柱状部３とを備えている。また、柱状部３は、その長手方向に沿って形成された溝３３を有している。そして、このような構成の医療用スタンド１は、溝３３に、例えば液体が通過する少なくとも１本のチューブ４０や、通電可能な少なくとも１本のケーブル５０等のような可撓性を有する長尺体を収納して用いられる。【選択図】図１
2018143282.tif 000002
【特許請求の範囲】
【請求項１】
脚部と、
前記脚部から上方に向かって柱状に突出した柱状部とを備え、
前記柱状部は、その長手方向に沿って形成された溝を有し、
前記溝に可撓性を有する長尺体を収納して用いられることを特徴とする医療用スタンド。
【請求項２】
前記溝は、前方、後方または側方のうちのいずれかに開口した開口部を有し、
前記溝の内周部には、該溝の幅が前記開口部側に向かって漸減した幅漸減部が形成されている請求項１に記載の医療用スタンド。
【請求項３】
前記柱状部は、前記溝をその幅方向に少なくとも２つの空間に仕切るリブを有する請求項１または２に記載の医療用スタンド。
【請求項４】
前記長尺体には、液体が通過する少なくとも１本のチューブと、通電可能な少なくとも１本のケーブルとが含まれており、
前記２つの空間のうちの一方の空間には、前記チューブが収納され、他方の空間には、前記ケーブルが収納される請求項３に記載の医療用スタンド。
【請求項５】
前記柱状部は、前記長手方向の中央部よりも下方側に、屈曲した屈曲部を有する請求項１ないし４のいずれか１項に記載の医療用スタンド。
【請求項６】
前記脚部は、当該医療用スタンドを走行可能なものとするキャスタを有する請求項１ないし５のいずれか１項に記載の医療用スタンド。
【請求項７】
前記溝は、前方、後方または側方のうちのいずれかに開口した開口部を有し、
前記開口部は、当該医療用スタンドを走行させた際、その進行方向後方に臨む請求項６に記載の医療用スタンド。
【請求項８】
前記脚部は、前記進行方向後方に向かって間隔が増大する第１部分と第２部分とを有し、
前記キャスタは、前記第１部分と前記第２部分とにそれぞれ配置されている請求項６または７に記載の医療用スタンド。
【請求項９】
前記溝の長手方向の途中を覆うカバー部を備える請求項１ないし８のいずれか１項に記載の医療用スタンド。
【発明の詳細な説明】
【技術分野】
【０００１】
本発明は、医療用スタンドに関する。
【背景技術】
【０００２】
従来から、病院や診療所等のような医療機関では、例えば輸液バッグを吊下げて用いられる点滴スタンド（例えば、特許文献１参照）が常備されている。患者は、輸液バッグとチューブを介して接続されている。そして、輸液バッグの種類や輸液バッグの数によっては、チューブの引き回しが煩雑となり、見た目が悪くなる。
【０００３】
また、点滴スタンドには、キャスタが設置されたタイプがある（例えば、特許文献１参照）。このタイプの点滴スタンドでは、患者が当該点滴スタンドを押しながら医療機関内を移動することができる。この場合、チューブが例えばドアノブ等の周辺部に引っ掛かってしまうおそれがある。
【先行技術文献】
【特許文献】
【０００４】
【特許文献１】特開２０１３−０５６０９３号公報
【発明の概要】
【発明が解決しようとする課題】
【０００５】
本発明の目的は、医療用スタンドの使用中、可撓性を有する長尺体をできる限り目立たなくしたり、この長尺体が周辺部に引っ掛かってしまうのを防止したりすることができる医療用スタンドを提供することにある。
【課題を解決するための手段】
【０００６】
このような目的は、下記（１）〜（９）の本発明により達成される。
（１）  脚部と、
前記脚部から上方に向かって柱状に突出した柱状部とを備え、
前記柱状部は、その長手方向に沿って形成された溝を有し、
前記溝に可撓性を有する長尺体を収納して用いられることを特徴とする医療用スタンド。
【０００７】
（２）  前記溝は、前方、後方または側方のうちのいずれかに開口した開口部を有し、
前記溝の内周部には、該溝の幅が前記開口部側に向かって漸減した幅漸減部が形成されている上記（１）に記載の医療用スタンド。
【０００８】
（３）  前記柱状部は、前記溝をその幅方向に少なくとも２つの空間に仕切るリブを有する上記（１）または（２）に記載の医療用スタンド。
【０００９】
（４）  前記長尺体には、液体が通過する少なくとも１本のチューブと、通電可能な少なくとも１本のケーブルとが含まれており、
前記２つの空間のうちの一方の空間には、前記チューブが収納され、他方の空間には、前記ケーブルが収納される上記（３）に記載の医療用スタンド。
【００１０】
（５）  前記柱状部は、前記長手方向の中央部よりも下方側に、屈曲した屈曲部を有する上記（１）ないし（４）のいずれかに記載の医療用スタンド。
【００１１】
（６）  前記脚部は、当該医療用スタンドを走行可能なものとするキャスタを有する上記（１）ないし（５）のいずれかに記載の医療用スタンド。
【００１２】
（７）  前記溝は、前方、後方または側方のうちのいずれかに開口した開口部を有し、
前記開口部は、当該医療用スタンドを走行させた際、その進行方向後方に臨む上記（６）に記載の医療用スタンド。
【００１３】
（８）  前記脚部は、前記進行方向後方に向かって間隔が増大する第１部分と第２部分とを有し、
前記キャスタは、前記第１部分と前記第２部分とにそれぞれ配置されている上記（６）または（７）に記載の医療用スタンド。
【００１４】
（９）  前記溝の長手方向の途中を覆うカバー部を備える上記（１）ないし（８）のいずれかに記載の医療用スタンド。
【発明の効果】
【００１５】
本発明によれば、可撓性を有する長尺体を柱状部の溝に収納して用いることができる。これにより、長尺体の引き回しが煩雑となるのが防止され、よって、長尺体をできる限り目立たなくすることができる。
【００１６】
また、長尺体が溝に収納された状態となるため、例えば医療用スタンドの使用者、すなわち、患者が医療用スタンドを押しながら移動した場合に、長尺体が例えばドアノブ等の周辺部に引っ掛かってしまうのを防止したりすることができる。
【図面の簡単な説明】
【００１７】
【図１】図１は、本発明の医療用スタンド（第１実施形態）の使用状態を示す正面斜視図である。
【図２】図２は、本発明の医療用スタンド（第１実施形態）の使用状態（走行時）を示す側面図である。
【図３】図３は、図１に示す医療用スタンドの脚部付近を背面側から見た背面斜視図である。
【図４】図４は、図１に示す医療用スタンドを背面側から見たときのＡ−Ａ線断面図である。
【図５】図５は、図１に示す医療用スタンドを背面側から見たときのＢ−Ｂ線断面図である。
【図６】図６は、本発明の医療用スタンドの第２実施形態を示す側面図である。
【図７】図７は、図６に示す医療用スタンドを背面側から見たときのＣ−Ｃ線断面図である。
【図８】図８は、本発明の医療用スタンド（第３実施形態）を背面側から見たときの横断面斜視図である。
【発明を実施するための形態】
【００１８】
以下、本発明の医療用スタンドを添付図面に示す好適な実施形態に基づいて詳細に説明する。
【００１９】
＜第１実施形態＞
図１は、本発明の医療用スタンド（第１実施形態）の使用状態を示す正面斜視図である。図２は、本発明の医療用スタンド（第１実施形態）の使用状態（走行時）を示す側面図である。図３は、図１に示す医療用スタンドの脚部付近を背面側から見た背面斜視図である。図４は、図１に示す医療用スタンドを背面側から見たときのＡ−Ａ線断面図である。図５は、図１に示す医療用スタンドを背面側から見たときのＢ−Ｂ線断面図である。なお、以下では、説明の都合上、図１〜図５中（図６〜図８についても同様）の上側を「上」または「上方」、下側を「下」または「下方」と言う。
【００２０】
図１に示すように、医療用スタンド１は、病院や診療所等のような医療機関で例えば患者Ｐに輸液を行なう際、輸液バッグ２０と、輸液ポンプ３０とを装着して用いられる輸液スタンド（点滴スタンド）である。
【００２１】
医療用スタンド１について説明する前に、輸液バッグ２０、輸液ポンプ３０についてそれぞれ説明する。
【００２２】
輸液バッグ２０は、液体が充填された、可撓性を有する軟質のバッグである。この液体には、例えば、薬液、補正用電解質液、生理食塩水等、生体に投与し得るあらゆる液体が含まれる。なお、図１では、一例として、１つの輸液バッグ２０を用いた状態となっているが、輸液バッグ２０の使用数は、１つに限定されず、２つ以上であってもよい。
【００２３】
輸液バッグ２０の下部には、液体が通過するチューブ４０が液密的に接続されている。そして、患者Ｐは、このチューブ４０を介して輸液バッグ２０と接続される。なお、チューブ４０は、１本の連続したチューブで構成されたものであってもよいし、複数本のチューブが連結されたチューブ連結体で構成されたものであってもよい。
【００２４】
輸液ポンプ３０は、輸液バッグ２０から患者Ｐに液体を送る送液ポンプである。この輸液ポンプ３０内をチューブ４０の途中が挿通している。輸液ポンプ３０としては、例えば、フィンガーポンプを用いるのが好ましい。
【００２５】
輸液ポンプ３０には、通電可能なケーブル（電気コード）５０が電気的に接続されている。例えば、ケーブル５０に、コンセントに接続された延長コード６０を接続することができる。そして、この接続状態により、輸液ポンプ３０は、電力が供給されて、送液動作を行なうことができる。なお、後述するように患者Ｐが医療用スタンド１を押しながら移動する場合には（図２参照）、ケーブル５０と延長コード６０との接続を解除して、その移動を行なうことができる。また、輸液ポンプ３０は、図１に示す構成では１本のケーブル５０が接続されるものであるが、ケーブル５０の接続本数は、これに限定されない。例えば、輸液ポンプ３０の種類によっては、複数本のケーブル５０が接続される場合もある。
【００２６】
次に、医療用スタンド１について説明する。
図１に示すように、医療用スタンド１は、脚部２と、柱状部３とを備えている。
【００２７】
脚部２は、医療用スタンド１全体を下側から支える部分である。脚部２は、「Ｖ」字状またはブーメラン状をなす脚部本体４と、医療用スタンド１を走行可能なものとする４つのキャスタ５とを有している。
【００２８】
脚部本体４は、その頂部（頂点）４１から左右に分かれた第１部分４２と第２部分４３とを有している。
【００２９】
頂部４１は、医療用スタンド１を走行させる際に、進行方向前方に向けるのが好ましい（図２参照）。以下、医療用スタンド１の頂部４１が臨む方向を「前方」、その反対方向を「後方」、前方に向かって右側、左側をそれぞれ「側方」と言う。
【００３０】
第１部分４２と第２部分４３とは、互いに離間しており、その離間距離、すなわち、間隔が後方に向かって増大している（図３参照）。これにより、頂部４１を進行方向前方に向けて、医療用スタンド１の走行を安定して行なうことができる。また、医療用スタンド１を停止させた場合も、その医療用スタンド１を、医療機関内の所定の場所に安定して置くことができる。
【００３１】
前述したように、４つのキャスタ５は、それぞれ、医療用スタンド１を走行可能なものとする部品である。これにより、図２に示すように、患者Ｐは、医療用スタンド１を後方から押しながら、医療用スタンド１とともに移動することができる。
【００３２】
また、患者Ｐが医療用スタンド１を後方から押す場合、患者Ｐの足が脚部本体４を踏んでしまいそうになる。しかしながら、第１部分４２と第２部分４３とが前記のように互いに離間していることにより、患者Ｐの足は、第１部分４２と第２部分４３と間に位置することができる（図２参照）。これにより、患者Ｐが脚部本体４を踏んでしまうのを防止することができ、よって、患者Ｐは、医療用スタンド１とともに円滑に移動することができる。
【００３３】
図３に示すように、４つのキャスタ５のうちの２つのキャスタ５は、互いに離間して、第１部分４２に配置されており、残りの２つのキャスタ５も、互いに離間して、第２部分４３に配置されている。これにより、医療用スタンド１の走行を安定して行なうことができる。
【００３４】
脚部本体４の頂部４１からは、柱状部３が上方に向かって柱状に突出している。この柱状部３は、脚部本体４と一体的に形成されている。なお、柱状部３と脚部本体４とは、例えば、ポリカーボネート等のような硬質な各種樹脂材料やアルミニウム等のような各種金属材料で構成されている。
【００３５】
柱状部３は、医療用スタンド１の使用状態で鉛直方向に延びる鉛直部３１と、鉛直部３１の下部から頂部４１に向かって屈曲した屈曲部３２を有している。
【００３６】
鉛直部３１は、その上部を輸液バッグ配置部３１１として輸液バッグ２０を配置することができるとともに、長手方向の途中を輸液ポンプ配置部３１２として輸液ポンプ３０を配置することができる。
【００３７】
輸液バッグ配置部３１１では、輸液バッグ２０が着脱自在に配置される。また、図１および図２に示すように、輸液バッグ配置部３１１に配置された輸液バッグ２０は、後方を臨んだ状態となる。
【００３８】
輸液ポンプ配置部３１２でも、輸液ポンプ３０が着脱自在に配置される。輸液ポンプ配置部３１２に配置された輸液ポンプ３０は、柱状部３の長手方向に沿って、すなわち、上下方向に移動可能に支持され、その移動先で位置決めされる。これにより、例えば患者Ｐの腰の高さに輸液ポンプ３０を配置することができる。また、この輸液ポンプ３０は、柱状部３回りに回動可能に支持され、その回動先でも位置決めされる。これにより、例えば図１や図２に示すように、輸液ポンプ３０を側方に配置することができる。
【００３９】
屈曲部３２は、柱状部３の長手方向の中央部よりも下方側に設けられている。これにより、鉛直部３１の中心線Ｏ３１上に位置する医療用スタンド１の重心が、平面視で、脚部本体４の中心Ｏ４と重なった状態が得られる（図３参照）。このような状態が得られていることにより、医療用スタンド１は、静止中、移動中いずれものときも安定した、転倒し難い状態となり、よって、患者Ｐは、安心して使用することができる。また、医療用スタンド１の重心の下方で、第１部分４２と第２部分４３との間に、患者Ｐの足が入ることができる。これにより、患者Ｐが医療用スタンド１の重心に近づいて、医療用スタンド１を容易に押し進めることができる。また、患者Ｐが医療用スタンド１の重心に近づくことができることにより、患者Ｐが柱状部３に寄り掛かったときに、鉛直下方に力が働くこととなり、患者Ｐや医療用スタンド１が転倒するのを防止することができる。
【００４０】
図４および図５に示すように、柱状部３は、本実施形態では横断面の外形形状が楕円形をなすものとなっている。この柱状部３は、その長手方向に沿って形成された溝３３を有している。溝３３には、チューブ４０（図４参照）やケーブル５０（図５参照）を柱状部３の長手方向に沿うように収納することができる。
【００４１】
また、溝３３は、後方に開口した開口部３３１を有している。この開口部３３１を介して、チューブ４０やケーブル５０を溝３３に挿入したり、挿入されたチューブ４０やケーブル５０を溝３３から抜去したりすることができる。
【００４２】
溝３３の内側、すなわち、内周部３３４には、溝３３の幅ｗ３３が開口部３３１側に向かって漸減した幅漸減部３３５が形成されている。これにより、溝３３に収納されたチューブ４０やケーブル５０が開口部３３１から不本意に飛び出してしまうのを防止することができる。
【００４３】
また、柱状部３は、溝３３の内周部３３４に突出形成されたリブ３４１とリブ３４２とを有している。リブ３４１とリブ３４２とは、それぞれ、横断面形状が鉤状をなしている。また、リブ３４１とリブ３４２とは、対称的に配置され、互いの間隔ｗ３４は、後方に向かって漸減している。このようなリブ３４１およびリブ３４２により、溝３３を主にその幅方向（図４、図５中の左右方向）に２つの空間に仕切ることができる。以下、これら２つの空間のうちの一方の空間を「第１空間３３２」と言い、他方の空間を「第２空間３３３」と言う。第１空間３３２には、チューブ４０を収納することができ、第２空間３３３には、ケーブル５０を収納することができる。
【００４４】
また、リブ３４１およびリブ３４２により、柱状部３を補強することもできる。これにより、医療用スタンド１の使用中に柱状部３が変形してしまうのを確実に防止することができる。
【００４５】
以上のように、医療用スタンド１は、溝３３、すなわち、第１空間３３２と第２空間３３３とに、可撓性を有するチューブ４０やケーブル５０を収納して用いることができる。これにより、チューブ４０やケーブル５０の引き回しが煩雑となるのが防止され、これらのチューブ４０等をできる限り目立たなくすることができる。その結果、使用中の医療用スタンド１の見た目がすっきりする。
【００４６】
また、チューブ４０等が溝３３に収納された状態となるため、患者Ｐが医療用スタンド１を押しながら移動した際に、チューブ４０等が例えばドアノブ等の周辺部に引っ掛かってしまうのを防止したりすることができる。従って、医療用スタンド１は、使用時（移動時）の安全性にも優れたものとなっている。
【００４７】
また、前述したように、溝３３の開口部３３１は、後方に開口している。これにより、開口部３３１は、医療用スタンド１を走行させた際も、その進行方向後方に臨むこととなる。図２に示すように、患者Ｐは、医療用スタンド１を押しながら移動する場合には、医療用スタンド１よりも後方に位置することとなる。これにより、チューブ４０を、後方に開口する開口部３３１からそのまま患者Ｐ側に向かって容易に引き出すことができる。
【００４８】
＜第２実施形態＞
図６は、本発明の医療用スタンドの第２実施形態を示す側面図である。図７は、図６に示す医療用スタンドを背面側から見たときのＣ−Ｃ線断面図である。
【００４９】
以下、これらの図を参照して本発明の医療用スタンドの第２実施形態について説明するが、前述した実施形態との相違点を中心に説明し、同様の事項はその説明を省略する。
【００５０】
本実施形態は、医療用スタンドの使用態様が異なること以外は前記第１実施形態と同様である。
【００５１】
図６に示すように、本実施形態では、輸液バッグ配置部３１１よりもさらに上部、すなわち、最上部をプロジェクタ配置部３１３としてプロジェクタ７０を配置することができる。プロジェクタ７０は、例えば各種の静止画や動画等の映像を投影可能なものである。なお、最上部に配置されるものは、プロジェクタ７０の他に、患者Ｐの姿勢等の状態を検出するものであってもよい。プロジェクタ７０には、通電可能なケーブル８０が電気的に接続されている。図７に示すように、ケーブル８０は、溝３３の第２空間３３３に収納される。これにより、ケーブル８０とチューブ４０とが絡み合う、すなわち、干渉し合うのを防止することができる。
【００５２】
また、プロジェクタ７０は、ケーブル８０を介して、バッテリー９０から電力が供給される。バッテリー９０は、脚部本体４に対して固定されている。バッテリー９０は、比較的重量が大きいものであるため、医療用スタンド１の下部である脚部本体４に対して固定されていることにより、医療用スタンド１は、安定して設置または走行することができる。なお、バッテリー９０は、輸液ポンプ３０へ電力を供給するのにも用いることができる。
【００５３】
＜第３実施形態＞
図８は、本発明の医療用スタンド（第３実施形態）を背面側から見たときの横断面斜視図である。
【００５４】
以下、この図を参照して本発明の医療用スタンドの第３実施形態について説明するが、前述した実施形態との相違点を中心に説明し、同様の事項はその説明を省略する。
本実施形態は、カバー部を備えること以外は前記第１実施形態と同様である。
【００５５】
図８に示すように、本実施形態では、医療用スタンド１は、溝３３の長手方向の途中を覆うカバー部６を備えている。カバー部６は、例えば弾性を有する弾性片で構成され、柱状部３に対して支持、固定されている。この場合、カバー部６の厚さｔ６は、柱状部３に対する支持部６１側から遠ざかるに従って、漸減しているのが好ましい。また、カバー部６は、柱状部３の横断面形状と同方向に湾曲しているのが好ましい。
【００５６】
また、カバー部６の設置数は、１つであってもよいし、２つ以上であってもよい。カバー部６が２つ以上設置されている場合には、これらのカバー部６は、間隔を置いて配置されているのが好ましい。
【００５７】
そして、このようなカバー部６により、溝３３に収納されたチューブ４０やケーブル５０が開口部３３１から不本意に飛び出してしまうのを確実に防止することができる。
【００５８】
以上、本発明の医療用スタンドを図示の実施形態について説明したが、本発明は、これに限定されるものではなく、医療用スタンドを構成する各部は、同様の機能を発揮し得る任意の構成のものと置換することができる。また、任意の構成物が付加されていてもよい。
【００５９】
また、本発明の医療用スタンドは、前記各実施形態のうちの、任意の２以上の構成（特徴）を組み合わせたものであってもよい。
【００６０】
また、医療用スタンドの柱状部の溝に収納される長尺体としては、前記各実施形態では１本のチューブと１本のケーブルであったが、チューブの本数とケーブルの本数とは、それぞれ、これに限定されない。また、チューブやケーブル以外にも、他の機能を有する長尺体を溝に収納することもできる。
【００６１】
また、医療用スタンドの柱状部の溝は、前記実施形態では後方に開口した開口部を有しているが、開口部の開口方向は、これに限定されず、例えば、前方、後方または側方のうちのいずれかとすることができる。
【００６２】
また、医療用スタンドの柱状部の溝は、前記各実施形態ではリブにより２つの空間に仕切られているが、仕切られる空間の数は、これに限定されず、例えば、３つ以上であってもよい。
【符号の説明】
【００６３】
１            医療用スタンド
２            脚部
３            柱状部
３１          鉛直部
３１１        輸液バッグ配置部
３１２        輸液ポンプ配置部
３１３        プロジェクタ配置部
３２          屈曲部
３３          溝
３３１        開口部
３３２        第１空間
３３３        第２空間
３３４        内周部
３３５        幅漸減部
３４１、３４２    リブ
４            脚部本体
４１          頂部（頂点）
４２          第１部分
４３          第２部分
５            キャスタ
６            カバー部
６１          支持部
２０          輸液バッグ
３０          輸液ポンプ
４０          チューブ
５０          ケーブル（電気コード）
６０          延長コード
７０          プロジェクタ
８０          ケーブル
９０          バッテリー
Ｏ３１        中心線
Ｏ４          中心
Ｐ            患者
ｔ６          厚さ
ｗ３３        幅
ｗ３４        間隔
【図１】
2018143282.tif 000003
【図２】
2018143282.tif 000004
【図３】
2018143282.tif 000005
【図４】
2018143282.tif 000006
【図５】
2018143282.tif 000007
【図６】
2018143282.tif 000008
【図７】
2018143282.tif 000009
【図８】
2018143282.tif 000010